(57)【要約】【課題】介助入浴が必要な要介護者の入浴において、羞恥心を最大限最小にすることができ、より多くの人数を入浴させることができる回遊式脱衣所を有する建築物を提供する。【解決手段】回遊式脱衣所を有する建築物１００は、第１の脱衣所１０ａ、第２の脱衣所１０ｂ、第３の脱衣所１０ｃ、第４の脱衣所１０ｄ及び浴室２０を備えた建築物である。回遊式脱衣所を有する建築物１００は、利用者が、第１の脱衣所１０ａ、第２の脱衣所１０ｂ、第３の脱衣所１０ｃ、浴室２０、第３の脱衣所１０ｃ、第４の脱衣所１０ｄ、第１の脱衣所１０ａの順に回遊するように構成されている。【選択図】図２
0003215067.tif 000002
【実用新案登録請求の範囲】
【請求項１】
第１の脱衣所、第２の脱衣所、第３の脱衣所、第４の脱衣所及び浴室を備えた回遊式脱衣所を有する建築物であって、
前記第１の脱衣所は、利用者が、衣服を着た状態で使用するように設けられた所であり、
前記第２の脱衣所は、前記利用者が、前記第１の脱衣所から移動し、衣服を脱ぐように設けられた所であり、
前記第３の脱衣所は、前記利用者が、前記第２の脱衣所から前記浴室または前記第４の脱衣所に移動するように設けられた所であり、
前記第４の脱衣所は、前記利用者が前記浴室に入り、前記浴室から出て、前記第３の脱衣所を介して移動し、衣服を着衣し、前記着衣後に、前記第１の脱衣所に移動するように設けられている所であり、
前記利用者が、前記第１の脱衣所、前記第２の脱衣所、前記第３の脱衣所、前記浴室、前記第３の脱衣所、前記第４の脱衣所、前記第１の脱衣所の順に回遊するように構成されていることを特徴とする回遊式脱衣所を有する建築物。
【請求項２】
第１のドア、第１のカーテン、第２のカーテン、第２のドア、第３のカーテン及び第４のカーテンを有し、
前記第１のドアは、前記第１の脱衣所と外部の間に設けられ、
前記第１のカーテンは、前記第１の脱衣所と前記第２の脱衣所の間に設けられ、
前記第２のカーテンは、前記第２の脱衣所と前記第３の脱衣所の間に設けられ、
前記第２のドアは、前記第３の脱衣所と前記浴室の間に設けられ、
前記第３のカーテンは、前記第３の脱衣所と前記第４の脱衣所の間に設けられ、
前記第４のカーテンは、前記第４の脱衣所と前記第１の脱衣所の間に設けられていることを特徴とする請求項１に記載の回遊式脱衣所を有する建築物。
【考案の詳細な説明】
【技術分野】
【０００１】
本考案は、回遊式脱衣所を有する建築物に関する。
【背景技術】
【０００２】
日常生活に介護が必要な要介護者にとって、入浴の介護は必要不可欠であることが多い。脱衣所への移動に始まり、着衣を脱ぎ、浴室へ移動、洗髪・洗身の後、浴槽に入り、その後再び脱衣所にて介護を受けながら衣服を着る。一連の動作には時間がかかり、一人ひとりを個浴にて対応するならば、一日に介助入浴できる要介護者の人数は限られてしまう。故に施設や通所介護事業所など、短時間でより多くの要介護者を介助入浴させなければならない場合、大浴場などで対応し、また脱衣所も同時に数人が利用できるよう広く設けている。
【０００３】
しかしながらこの形態では、要介護者は他の要介護者や幾人もの介護スタッフに自分の裸体をさらさなければならず、このとてつもなく耐えがたい羞恥心が施設や通所介護事業所の利用の妨げとなっている。一人で生活できなくなった要介護者が自宅に閉じこもりひきこもることでさらに介護状態が悪化し、ひいては孤独死や介護保険費の増額に繋がり、社会問題になっているといえる。
【考案の概要】
【考案が解決しようとする課題】
【０００４】
介助入浴が必要な要介護者を一日に数多く入浴させる為に、大浴場などで一度に沢山の要介護者を入浴させており、要介護者が多大なる羞恥心を犠牲にして現状に耐え忍んでいる。また、要介護者の羞恥心に配慮し、個浴対応した場合は一日に多くの要介護者を入浴させることが出来ない。故に、介助入浴が必要な要介護者が、羞恥心を最大限最小にできる入浴法で、且つ、一日により多くの人数を入浴させることが出来る方法を考案する。つまり、個浴での対応でも、より多くの要介護者を入浴させることができることが求められている。
【０００５】
本考案は、こうした点に鑑みてなされたものであり、介助入浴が必要な要介護者の入浴において、羞恥心を最大限最小にすることができ、より多くの人数を入浴させることができる回遊式脱衣所を有する建築物を提供するものである。
【課題を解決するための手段】
【０００６】
上記課題を解決するために、本考案に係る回遊式脱衣所を有する建築物は、第１の脱衣所、第２の脱衣所、第３の脱衣所、第４の脱衣所及び浴室を備えた回遊式脱衣所を有する建築物であって、前記第１の脱衣所は、利用者が、衣服を着た状態で使用するように設けられた所であり、前記第２の脱衣所は、前記利用者が、前記第１の脱衣所から移動し、衣服を脱ぐように設けられた所であり、前記第３の脱衣所は、前記利用者が、前記第２の脱衣所から前記浴室または前記第４の脱衣所に移動するように設けられた所であり、前記第４の脱衣所は、前記利用者が前記浴室に入り、前記浴室から出て、前記第３の脱衣所を介して移動し、衣服を着衣し、前記着衣後に、前記第１の脱衣所に移動するように設けられている所であり、前記利用者が、前記第１の脱衣所、前記第２の脱衣所、前記第３の脱衣所、前記浴室、前記第３の脱衣所、前記第４の脱衣所、前記第１の脱衣所の順に回遊するように構成されていることを特徴とする。
【０００７】
本考案に係る回遊式脱衣所を有する建築物の態様について、第１のドア、第１のカーテン、第２のカーテン、第２のドア、第３のカーテン及び第４のカーテンを有し、前記第１のドアは、前記第１の脱衣所と外部の間に設けられ、前記第１のカーテンは、前記第１の脱衣所と前記第２の脱衣所の間に設けられ、前記第２のカーテンは、前記第２の脱衣所と前記第３の脱衣所の間に設けられ、前記第２のドアは、前記第３の脱衣所と前記浴室の間に設けられ、前記第３のカーテンは、前記第３の脱衣所と前記第４の脱衣所の間に設けられ、前記第４のカーテンは、前記第４の脱衣所と前記第１の脱衣所の間に設けられていることが好ましい。
【考案の効果】
【０００８】
上記のとおり、通所介護事業所や介護施設などを嫌う要介護者の理由の一つとして、入浴があげられることが多い。そのような施設を利用せざるを得ない理由も入浴であることが多いのだが、自宅でお風呂に入れなくなることは、やはり人間としての自尊心に入浴というものが大きな意味を持つからと考えられる。
【０００９】
この考案では、要介護者の尊厳を守りながら、且つ、清潔を保つという基本的人権に寄与し、快適な入浴を提供することが出来れば、施設の利用者も増え、要介護者の閉じこもりひきこもりに歯止めをかけることができることを図っている。そして、ひいては要介護者の介護状態の悪化を防ぎ、孤独死の撲滅、介護費の軽減につながっていくものと考えられる。
【００１０】
したがって、本考案によれば、介助入浴が必要な要介護者の入浴において、羞恥心を最大限最小にすることができ、より多くの人数を入浴させることができる回遊式脱衣所を有する建築物を提供することができる。
【図面の簡単な説明】
【００１１】
【図１】実施形態の回遊式脱衣所を有する建築物を示す模式図である。
【図２】回遊式脱衣所を有する建築物で利用者が回遊する例を示す参考図である。
【図３】実施形態の回遊式脱衣所を有する建築物の他の例を示す模式図である。
【考案を実施するための形態】
【００１２】
以下、本考案に係る実施形態を、図１から図３を用いて説明するする。
【００１３】
回遊式脱衣所を有する建築物１００は、第１の脱衣所１０ａ、第２の脱衣所１０ｂ、第３の脱衣所１０ｃ、第４の脱衣所１０ｄ及び浴室２０を備えた建築物である。これらの脱衣所１０ａ、１０ｂ、１０ｃ、１０ｄ及び浴室２０は、第１のドアＤ１、第１のカーテンＫ１、第２のカーテンＫ２、第２のドアＤ２、第３のカーテンＫ３及び第４のカーテンＫ４を有しており、利用者が自由に出入りできるようになっている。
【００１４】
すなわち、第１のドアＤ１は、第１の脱衣所１０ａと外部の間に設けられおり、第１のカーテンＫ１は、第１の脱衣所１０ａと第２の脱衣所１０ｂの間に設けられており、第２のカーテンＫ２は、第２の脱衣所１０ｂと第３の脱衣所１０ｃの間に設けられており、第２のドアＤ２は、第３の脱衣所１０ｃと浴室２０の間に設けられており、第３のカーテンＫ３は、第３の脱衣所１０ｃと第４の脱衣所１０ｄの間に設けられており、第４のカーテンＫ４は、第４の脱衣所１０ｄと第１の脱衣所１０ａの間に設けられている。
【００１５】
このように第１のドアＤ１から第４のカーテンＫ４を介して連続的に建設されている第１の脱衣所１０ａから第４の脱衣所１０ｄについて説明する。
【００１６】
第１の脱衣所１０ａは、利用者が、衣服を着た状態で使用するように設けられた所である。また第１の脱衣所１０ａは、廊下や他の部屋と出入りする第１のドアＤ１、第２の脱衣所１０ｂと出入りする第１のカーテンＫ１及び第４の脱衣所１０ｄと出入りする第４のカーテンＫ４を有している。
【００１７】
第２の脱衣所１０ｂは、利用者が、第１の脱衣所１０ａから移動し、衣服を脱ぐように設けられた所である。また第２の脱衣所１０ｂは、第１の脱衣所１０ａと出入りする第１のカーテンＫ１及び第３の脱衣所１０ｃと出入りする第２のカーテンＫ２を有している。
【００１８】
第３の脱衣所１０ｃは、利用者が、第２の脱衣所１０ｂから浴室２０または第４の脱衣所１０ｄに移動するように設けられた所である。また第３の脱衣所１０ｃは、第２の脱衣所１０ｂと出入りする第２のカーテンＫ２及び浴室２０と出入りする第２のドアＤ２を有している。
【００１９】
第４の脱衣所１０ｄは、利用者が浴室２０で入浴し、浴室２０から出て、そして第３の脱衣所１０ｃを介して移動し、衣服を着衣し、着衣後に、第１の脱衣所１０ａに移動するように設けられている所である。また第４の脱衣所１０ｄは、第３の脱衣所１０ｃと出入りする第３のカーテンＫ３及び第１の脱衣所１０ａと出入りする第４のカーテンＫ４を有している。
【００２０】
回遊式脱衣所を有する建築物１００は、図２に示すとおり、利用者が、第１の脱衣所１０ａ、第２の脱衣所１０ｂ、第３の脱衣所１０ｃ、浴室２０、第３の脱衣所１０ｃ、第４の脱衣所１０ｄ、第１の脱衣所１０ａの順に回遊するように構成されている。
【００２１】
図２を用いて回遊式脱衣所を有する建築物１００の使用を説明したが、回遊式脱衣所を有する建築物１００は、これに限定されず、例えば、図３に示すように、第３の脱衣所１０ｃと第３の脱衣所１０ｄの間に通路を設けてもよく、またこの通路から他の浴槽に移動できる構成であってもよい。
【００２２】
ここで、回遊式脱衣所を有する建築物１００の特徴について説明する。介助入浴が必要な要介護者が最大限に最小な羞恥心での入浴方法とは、つまり最少人数でのスタッフによる個浴での入浴である。しかしながら従来の個浴は脱衣所が当然ながら一つであり、要介護者は介助を受けながらその脱衣所で着衣を脱ぎ、入浴後の体を拭き、更衣をするのである。
【００２３】
故に一人の要介護者が完全に入浴の一連動作が終了しない限り、次の入浴者は入浴することが出来ない。時短を図ろうと先の入浴者が着衣中に次の入浴者が脱衣所に入れば、互いに羞恥心を堪えなければならなくなる。
【００２４】
そして、個浴での入浴方法において一番時間を取られるのは着衣の脱着である。故にこの着衣の脱着がそれぞれ別の場所で出来れば、浴室の出入りの場所が空き、次の入浴者が即入れることになる。それぞれの脱衣所で要介護者同士が顔を合わせることはなく、浴室は次々と別の入浴者を受け入れることができ、個浴でも一日の入浴者の数を増やすことができることである。
【００２５】
また、最大限最小な羞恥心で、より効率的により多くの要介護者を入浴させる為に、脱衣所は一つの浴槽に対して４つ設ける必要がある。つまり４つの脱衣所を回るように順番に連ねながら、その中間で浴室に入れるように浴室と４つの脱衣所を設けている。
【００２６】
上記のとおり、要介護者は自力もしくは介助によって第１の脱衣所１０ａに入り、次に、第２の脱衣所１０ｂへ移動して衣服を脱ぎ、次に、第３の脱衣所１０ｃへ移動して浴室２０に入る。浴室２０での入浴後は、第３の脱衣所１０ｃに出てきて、それから第４の脱衣所１０ｄへ移動し体を拭き、衣服を着る。
【００２７】
第４の脱衣所１０ｄで衣服を着てから、再び第１の脱衣所１０ａへ移動し、髪を乾かす等の身支度を行う。すなわち、第１の脱衣所１０ａは、常に衣服を着た状態で利用する場所であり、第２の脱衣所１０ｂは、脱衣をする場所であり、第３の脱衣所１０ｃは、浴室２０への出入り口としての機能を有し、第４の脱衣所１０ｄは体を拭く場所及び着衣の場所となる。
【００２８】
また、更衣に介助が必要な要介護者であっても、介助するスタッフは浴室内常駐の洗髪・洗身専任のスタッフと、移動・脱衣・着衣専任のスタッフの計２名で対応することができ、このようにすることで、一人の要介護者が脱衣所を独占する時間は短縮することができ、さらに個浴対応であっても、一日により多くの要介護者を入浴させることができる。
【００２９】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することが可能である。特に、本考案の回遊式脱衣所を有する建築物の形態については様々の実施形態が可能であり、それらについて本実施形態と異なる形態又は方法による実施は、本考案の技術的範囲に含まれるものと解する。
【符号の説明】
【００３０】
１００  回遊式脱衣所を有する建築物
１０ａ  第１の脱衣所
１０ｂ  第２の脱衣所
１０ｃ  第３の脱衣所
１０ｄ  第４の脱衣所
２０    浴室
Ｄ１    第１のドア
Ｄ２    第２のドア
Ｋ１    第１のカーテン
Ｋ２    第２のカーテン
Ｋ３    第３のカーテン
Ｋ４    第４のカーテン
【図１】
0003215067.tif 000003
【図２】
0003215067.tif 000004
【図３】
0003215067.tif 000005